Podtech/llm-jp-corpus-v4-ja_patent huggingface dataset:
(57)【要約】      （修正有）【課題】非常に簡単な方法で、かつ、効率良く、おからをふっくらと柔らかくする方法を提供する。【解決手段】しぼりかすのまま、何ら処理していない生おからをバット等の容器に入れて広げる。そして、これを容器ごと、常圧下、蒸し器で１８〜２２分間蒸すことにより、ふっくらと柔らかい生おからを得る。該生おからを、調味液等とともに煮て、生おからを含む食品を調理する。なお、圧力鍋等を使用して、生おからを高圧下で蒸しても構わない。【選択図】なし【特許請求の範囲】
【請求項１】
おからを蒸すことを特徴とする、おからをふっくらと柔らかくする方法。
【発明の詳細な説明】
【技術分野】
【０００１】
本発明は、おからをふっくらと柔らかくする方法に関する。
【背景技術】
【０００２】
おからとは、豆腐を作るときの豆乳のしぼりかすのことであって、通常、調味液等と煮て味付けし食するものである。そして、このおからは、食物繊維等を豊富に含む栄養価の高い食品として、非常に注目されている。
【０００３】
ところで、この「おから」は、そのままでは、もそもそして硬いため、卯の花煮など、おからを含む食品を調理する際は、おからを、あらかじめ炒めて、ふっくらと柔らかくさせてから、調味液等とともに煮ることが一般的である。
【０００４】
しかしながら、「炒める」という作業は、非常に効率が悪いうえ、これを上手に行うには、経験豊富な作業者を必要とする、という問題がある。特に、この問題は、大量調理を行う際に顕著なものとなってしまう。
【０００５】
本発明者は、このような実情のもと、非常に簡単な方法で、かつ、効率良く、おからをふっくらと柔らかくする方法について、鋭意検討を重ねた。その結果、おからを蒸すことによって、おからをふっくらと柔らかくすることができる、という知見を得、本発明を創作するに至った。
【０００６】
なお、本発明を出願するにあたって、出願人において過去の技術等を調査したところ、おからに関する技術について、下記の文献を発見することができたが、本発明のように、おからをふっくらと柔らかくするために蒸す、といった技術については発見することができなかった。
【０００７】
【特許文献１】特開平７−２８９１４７号公報
【特許文献２】特開２００３−１７４号公報
【発明の開示】
【発明が解決しようとする課題】
【０００８】
本発明は、非常に簡単な方法で、かつ、効率良く、おからをふっくらと柔らかくする方法を提供することを目的とする。
【課題を解決するための手段】
【０００９】
そのための手段として、本発明に係るおからをふっくらと柔らかくする方法は、おからを蒸すことを特徴としている。
【発明の効果】
【００１０】
本発明によれば、非常に簡単な方法で、かつ、効率良く、おからをふっくらと柔らかくすることができる。
【発明を実施するための最良の形態】
【００１１】
以下、本発明に係るおからをふっくらと柔らかくする方法を実施するための最良の形態について説明する。
【００１２】
まず、しぼりかすのまま、何ら処理をしていないおから（以下、これを「生おから」という。）をバット等の容器に入れて広げる。そして、これを容器ごと、常圧下、蒸し器で蒸す。このようにして、本実施形態に係るおからをふっくらと柔らかくする方法を実施する。その後、このふっくらと柔らかくした生おからを、調味液等とともに煮て、生おからを含む食品を調理する。
【００１３】
なお、本実施形態において、生おからを蒸し器で蒸す時間は、１８分〜２２分の範囲内とすることが好ましい。これは、蒸す時間をこの範囲内とすることで、生おからを、最も、ふっくらと柔らかくすることができるからである。
【００１４】
また、本実施形態においては、生おからを、常圧下で蒸すこととしているが、圧力鍋等を使用して、生おからを高圧下で蒸しても構わない。また、「蒸す」という調理方法が実施できるのであれば、蒸し器に限られず、その他の調理器具、例えば、スチームコンベクションオーブンのスチームモードによって、生おからを蒸しても構わない。
【００１５】
さらに、本実施形態においては、おからとして「生おから」を使用しているが、本発明の「おから」には、この「生おから」以外にも、「乾燥おから」や「冷凍おから」等、生おからを加工処理したものであって、水で戻したり、解凍処理したりして、おからとして使用できるものも含まれるものとする。従って、これらのおからを使用して、本発明を実施することもできる。
【００１６】
本発明に係るおからをふっくらと柔らかくする方法を実施することで、おからを、あらかじめ炒めることなく、非常に簡単な方法で、かつ、効率良く、ふっくらと柔らかくすることができる。
【実施例】
【００１７】
次に、以下に示す実施例により、本発明について更に詳細に説明を行う。
【００１８】
生おからをバットに入れ、このバットごと蒸し器で２０分間蒸した。その後、これを冷却した。冷却した生おからを試食したところ、生おからは、炒めたものと同様に、ふっくらと柔らかかった。
【００１９】
その後、この生おからを使って、真空調理法により「卯の花煮」を調理した。まず、生おから以外の原材料である、油揚げ、長ネギ、人参、干ししいたけの下処理を行った。油揚げと長ネギは細切りした。人参は、細切りして下茹でした。また、干ししいたけは、水で戻してから細切りにした。
【００２０】
真空密閉するための袋を用意し、これに、前処理をした生おから、下処理した油揚げ、長ネギ、人参、干ししいたけ、及び、出し汁や醤油等をベースに作った卯の花煮用の調味液を入れ、真空密閉した。そして、真空密閉した袋を、９３℃の湯煎で３５分間加熱し、卯の花煮を調理した。
【００２１】
調理した卯の花煮を、袋から取り出して試食した。卯の花煮に含まれている生おからは、ふっくらと柔らかいまま調理されており、非常においしく感じられた。
(57)【要約】【課題】  非常に簡単な方法で、高野豆腐を柔らかく、かつ、ほとんど形崩れしないように戻すことができる、まったく新しい方法を提供することを目的とする。【解決手段】  本発明は、高野豆腐を水に浸けてから蒸すことを特徴としている。【選択図】なし【特許請求の範囲】
【請求項１】
水に浸してから、蒸すことを特徴とする、高野豆腐を戻す方法。
【発明の詳細な説明】
【技術分野】
【０００１】
本発明は、高野豆腐を柔らかく、かつ、ほとんど形崩れしないように戻す方法に関する。
【背景技術】
【０００２】
高野豆腐とは、豆腐を凍らせてから乾燥させたものであって、通常、出し汁等で煮て味付けし食するものである。そして、この高野豆腐は、食感と、染み込んだ煮汁のおいしさとを楽しむことができ、また、栄養価も高い食品であるため、非常に人気が高い。
【０００３】
ところで、この高野豆腐は、いわゆる「乾物」であるため、従来より、水やぬるま湯等に浸けて戻してから使用されているが、このような従来の方法によって、高野豆腐を柔らかく、かつ、形崩れしないように戻すことは非常に難しかった。
【０００４】
本発明者は、このような実情のもと、簡単な方法で、高野豆腐を柔らかく、かつ、形崩れしないように戻す方法について、鋭意検討を重ねた。その結果、高野豆腐を水に浸けてから蒸すことによって、高野豆腐を柔らかく、かつ、ほとんど形崩れしないように戻すことができるという知見を得、本発明を創作するに至った。
【０００５】
なお、本発明を出願するにあたって、過去の技術等を調査したところ、高野豆腐に関する技術について、下記の文献を発見することができたが、本発明のように、高野豆腐を水に浸けてから蒸す、といった技術については発見することができなかった。
【０００６】
【特許文献１】特開２００４−３５７６０２号公報
【発明の開示】
【発明が解決しようとする課題】
【０００７】
本発明は、非常に簡単な方法で、高野豆腐を柔らかく、かつ、ほとんど形崩れしないように戻すことができる、まったく新しい方法を提供することを目的とする。
【課題を解決するための手段】
【０００８】
そのための手段として、本発明に係る高野豆腐を戻す方法は、高野豆腐を水に浸けてから蒸すことを特徴としている。
【発明の効果】
【０００９】
本発明によれば、非常に簡単な方法で、高野豆腐を柔らかく、かつ、ほとんど形崩れしないように戻すことができる。
【発明を実施するための最良の形態】
【００１０】
以下、本発明に係る高野豆腐を戻す方法を実施するための最良の形態について説明する。
【００１１】
なお、本発明に係る高野豆腐には、豆腐を凍らせてから乾燥させた、すべてのものが含まれるものとし、その呼び名や細かい製法には、一切影響を受けない。従って、地域によって、「凍み（しみ）豆腐」、「凍り豆腐（氷豆腐）」、「連豆腐」、「小倉豆腐」、「ちはや豆腐」等、呼び名が異なり、また、製法の詳細が異なるものであっても、本発明に係る高野豆腐に含まれるものとする。
【００１２】
まず、高野豆腐を水に浸け、高野豆腐に水を含ませる。そして、この水を含んだ高野豆腐を、蒸し器に入れ、これを常圧下で蒸す。このようにして、高野豆腐を戻す。
【００１３】
なお、本実施形態において、高野豆腐を水に浸ける際は、この水に浸けた高野豆腐の重さが、水に浸ける前の高野豆腐の３倍〜６倍の重さになるまで、高野豆腐に水を含ませることが好ましい。これは、この範囲内とすることで、高野豆腐を、最も柔らかく、かつ、形崩れしないように戻すことができるからである。
【００１４】
また、本実施形態において、高野豆腐を水に浸ける際は、高野豆腐を上から押さえることなく、高野豆腐に水を含ませることが好ましい。さらに、本実施形態において、水を含んだ高野豆腐を、蒸し器に入れて蒸す際は、水を含んだままの状態で、すなわち、高野豆腐を絞るなどして高野豆腐に含まれる水を除去することなく、蒸すことが好ましい。さらにまた、本実施形態において、水を含んだ高野豆腐を、蒸し器に入れて蒸す際は、木綿のさらし等、布で包んで、蒸すことが好ましい。これは、このようにすることで、高野豆腐を、最も柔らかく、かつ、形崩れしないように戻すことができるからである。
【００１５】
また、本実施形態において、水を含んだ高野豆腐を蒸し器で蒸す時間は、１８分〜２２分の範囲内とすることが好ましい。これも、蒸す時間をこの範囲内とすることで、高野豆腐を、最も柔らかく、かつ、形崩れしないように戻すことができるからである。
【００１６】
なお、本実施形態においては、高野豆腐を、常圧下で蒸すこととしているが、圧力鍋等を使用して、高野豆腐を高圧下で蒸しても構わない。また、「蒸す」という調理方法が実施できるのであれば、蒸し器に限らず、その他の調理器具、例えば、スチームコンベクションオーブンのスチームモードによって、高野豆腐を蒸しても構わない。
【００１７】
以上に説明したような、本発明に係る方法を実施することで、高野豆腐を、非常に簡単な方法で、柔らかく、かつ、形崩れしないように戻すことができる。
【実施例】
【００１８】
次に、以下に示す実施例により、本発明について更に詳細に説明を行う。
【００１９】
高野豆腐を水に浸け、高野豆腐に水を含ませた。この際、水に浸けた高野豆腐の重量が、水に浸ける前の高野豆腐の４．５倍の重さになるまで、高野豆腐に水を含ませた。また、高野豆腐に水を含ませる際、高野豆腐を上から押さえたりはしなかった。
【００２０】
水を含ませた高野豆腐を、木綿のさらしで包み、これを蒸し器で２０分間蒸した。蒸した高野豆腐は、非常に柔らかく、また、ほとんど形崩れしていなかった。
(57)【要約】【課題】枕は日常使うものだが、テストすると言っても少なくとも１晩は寝て見ないと比較するのが難しいので、今使っている枕でさえ自分に本当に合っているのかの判断が難しかった。今までストレートネックの改善枕と称する半医療用枕も市販されているが、固定されたものが多く、枕と接している理想的な位置で動かず睡眠をとることには無理があり、無理ををしてかえって悪くしてしまう例も多かった。【解決手段】そこで医学的に万人に向く健康枕を設計し、首と接する部分にある程度の硬度を持った棒を挿入、その棒と台を接続しているバネが頭、首の移動につれ左右にバランス良く上下し、多少の傾きも可能で、又その強さ、高さがネジ回しひとつで簡単に調整出来るようにしたことにより体型を選ばず、程好く快適に首骨（頚椎）を刺激して、頚椎を痛める心配もなく、結果として異常な頚椎の予防になるだけでなく、正常な首骨に戻す効果も期待できる枕となった。【選択図】  図２
2009005725.tif 000002
【特許請求の範囲】
【請求項１】
長い方の一辺が高くなっている台（１）に棒状の首支え（２）を複数のバネ（３）で繋ぎ、それが内蔵され構成している枕
【請求項２】
バネ（３）の中心部を貫通し、台と首支えの距離やバネの力が調整でき、少なくとも一方がネジ状で台又は首支えに固定していない棒（４）を有する請求項1の枕
【発明の詳細な説明】
【技術分野】
【０００１】
本発明は、医学的に健康と睡眠に適した枕に関するものである。枕は毎日使うものなので数々の健康に良い、安眠に適していると言う枕が考案、売り出され、使用されている。とは言え頭や首、頚椎などの形状や受ける感覚の度合い、感じる大きさには人それぞれ大きな差があり、誰にでも適合すると言う枕は難しかった。良いと思って、或いは勧められて購入してみたものの以前使用していた枕と比較するくらいで、本当に自分に合った枕かどうかの判断が出来にくかった。その上理想の形状の枕と言えどもその上に理想的な位置で常に頭を置いて寝ていると言うことは有り得ず、首に接する部分の形状が多少の首の移動で連動することが望ましい。データをもとにそれに合った形状を考案。頭、頚椎などにかかる弾力や高さが簡単に調整できるようにバネの強さ、枕の高さをネジ回し一つで微調整して個人個人に最適な枕が提供できるように考案した。更に枕内部の素材だけでなく、首に接する部分の形状もバネの作用で首の移動とある程度連動するような構造を考えた。
【背景技術】
【０００２】
枕は自分自身で選ぶ、というより与えられた適当な枕を習慣的に自分に合った枕と思い込み使っている人が多かった。確かに枕は多くの形状や素材で作られ、数多くの種類が店頭に並んでいる。実際に家に持ち帰り、1晩づつでも寝て、何種類を試してみないと本当に自分に合っているのかどうかの判断は非常に難しい。然しこれもメーカーや販売店の事情もあり難しい。
【特許文献１】特開２００４‐２６７５７７
【特許文献２】特開平１１-５６５５８
【特許文献３】実用新登録３０７７７６０号
【特許文献４】実開平７―１６１
【特許文献５】実用新登録３００２２８９号
【特許文献６】実開昭５３―１５８５１７
【特許文献７】実開平４‐５１２６５
【特許文献７】実開昭６２‐９２７６３
【発明の開示】
【発明が解決しようとする課題】
【０００３】
一般的に使用している枕の大部分は、単に自分にはこれが合っているのではないかと考えて毎日使っているのではないかと考えるが、本当に自分に合っているのかどうかの判断は非常に難しい。非常に難しいが大部分の人はそれが分からなくても我慢して使っているのが現状で然もこれが毎日である。そこで考え方を変え、一般人に向く医学的に良い枕を作り、各自に合った形状、硬さ、高さに調整できれば、その理想にかなり近付けるのではないかと考えた。
【課題を解決するための手段】
【０００４】
棒状の首支えと台をスプリングで連結することにより、そのスプリングの作用で寝ている時の位置が多少ずれてもフィットし、そのスプリングの中心に傾きとスプリングの強さが自由に調整でき、首支え、台に固定しない心棒を設けた。
【発明の効果】
【０００５】
従来の健康に良い、医学的に優れていると称して市販している枕は、頭と首が理想的な位置で乗ってないと効果が弱まる弱点があったが、本案は首に当たる部分をある程度の硬度を持たせ、内蔵するスプリングが上下し、多少の移動が可能になることで枕にほぼ理想的な位置を保ち易くなり、体型を選ばず、程良く快適に首骨（頚椎）を刺激、頚椎の異常な変形の予防と、正常の首骨に戻す効果が期待できるようになった。特に真っ直ぐに伸びた頚椎（ストレートネック）の予防と改善に大きな効果が期待できる。（医学博士  山岡宏  説）
【発明を実施するための最良の形態】
【０００６】
長い方の一辺が高くなっている台（１）の、高くなっている部分に下から太い穴（５）を２ヶ所えぐる。更にその穴の中心部に、使用するネジ（４）より太い穴を開ける。別に蒲鉾型でその両端も丸くなっている首支え（２）を設ける。２個のバネ（３）を使い、その真中を貫通するネジで穴を開けた台と首支えを繋ぐが、そのネジの上方は位置が固定で自由に回転でき、下方は台の太い穴の下からナット（６）で止める。但し台とは固定しないので、バネ（３）が左右バランス良く動いて上下し、傾きが出来（図２）頚椎を痛めることがない。
台の下からえぐった太い穴（５）にドライバーを挿入し、簡単にバネの強さや高さの調整ができるので、その人に合った枕にすることが可能になった。
【図面の簡単な説明】
【０００７】
【図１】本体の断面説明図
【図２】本体の断面説明図で、首支えが傾いた時の図
【図３】斜視図
【図４】正常な頚椎（右）とストレートネック（正常でない頚椎）
【符号の説明】
【０００８】
１  長い一方が高くなっている台
２  首支え
３  バネ
４  台と首支えを固定せず、バネを通して接続し、バネの強さ、双方の距離を調節
するネジ
５  台に開けられた大きな穴
６  ナット
７  ウレタンなど枕の詰め物
９  首骨（頚椎）
【図１】
2009005725.tif 000003
【図２】
2009005725.tif 000004
【図３】
2009005725.tif 000005
【図４】
2009005725.tif 000006
(57)【要約】      （修正有）【課題】安価で手軽に使いる様にする頭皮洗髪マッサージタオルを提供する。 【解決手段】洗髪時にマッサージを効果的に行うため、泡立ちの良い編みタオル１に、ゴム状突起物２，３を接着、若しくは、タオル地裏面より差し込み摩擦力を強くした。【選択図】図１
2009005726.tif 000002
【特許請求の範囲】
【請求項１】
タオル布状の物にゴム状の小さな突起物を多数付けたタオルとして、頭皮を掴み易くする為に凸突起の配列を考慮し配置する。頭の上に載せ手で洗髪、頭皮のマッサージを行うタオル。
【発明の詳細な説明】
【技術分野】
【０００１】
本発明は、手で頭皮マッサージと洗髪を行うタオルである。
【背景技術】
【０００２】
髪の脱毛に悩む人が多くあり、医薬品で、脱毛を防ぐものの完成品がないので、洗髪、頭皮のマッサージを有効に行う製品が発明、販売されている。
頭皮、髪のケアー製品として、手袋型、ブラシ型、電動ブラシ型、タオル型、その他電動大掛かりのものがある。
【０００３】
手袋型として、手袋に滑り止めを付けたものがある。（例えば、特許文献１、2参照）又、市販の荷物用滑り止め手袋を洗髪用に利用することも考えられる。
塗れた状態で使用する事は、気持ちの好いものでない。海水パンツは、水の中にいる時はなんともないが、陸で塗れた状態は気持ちよくないと同様である。
【０００４】
ブラシ型にして洗髪マッサージ効果を狙ったものは、大きさがブラシ大である。
（例えば、特許文献3,4,5参照）
ブラシ型は、頭皮全体を包み込むようにマッサージする動作に欠ける。即ち頭皮を立体的に皺が出来るように摘む動作に欠ける。
【０００５】
電動ブラシ型としたものがある、形状からそれなりの効果が期待できると思うが、高価なので使った事はない。上記ブラシ型同様、頭皮全体を包み込むようにマッサージする動作に欠けると思う。長期間浴室等に置いておくことは、手入れが大変と思う。（例えば、特許文献6、7参照）
【０００６】
頭部全体を包み込むようにして、洗髪マッサージを行う器機もあると思うが、実物は見ていない。価格面では高いことであろう。
【０００７】
【特許文献１】実用新案登録第３１１４９７号文献
【特許文献２】実用新案登録第３１１５１０９号文献
【特許文献３】実用新案登録第３０４０３９８号文献
【特許文献４】実用新案登録第３１１４９７号文献
【特許文献５】実用新案登録第３１１３００２号文献
【特許文献６】特開２００１−２５８９７４号文献
【特許文献７】特開平８−０００６８８号文献
【発明の開示】
【発明が解決しようとする課題】
【０００８】
違和感なく使える事、ブラシ型は頭皮に対して垂直に力が働くことが強いが、頭皮と頭蓋骨間の肉厚が厚くなるようにマッサージ効果が出るよう頭皮を掴むような構造にする。すなわちこのことで頭皮の血流が多くなる。又、安価で手軽に使いる様にする。頭部の端々を同時に押せること、又、洗髪に関しては、泡で汚れが落ち易いので、泡が出来やすくする。
【課題を解決するための手段】
【０００９】
使用に際し、手袋型の違和感を無くすためと、頭部全体を左右、前後押し、揉み出来るようタオル型とする。又、泡が出来やすいよう立体構造織り、編みの
生地を使用する。揉み、掴みに摩擦力を付与するよう、ゴム状突起物を大小タオルに接着し頭皮を皺揉みできるようにする。
大きさがタオル位であるから、頭部全体をカバー出来る。
【発明の効果】
【００１０】
頭皮のマッサージ効果を得る為に、タオル状布にゴム状突起を、ループ配列で接着、突起は大小、マッサージ効果がでるようにランダム配列で、  均一に並べたものより効果的に力が得られる。不均一の物が当たり面に対して力が強いという意味あいもあるし、力が分散され、揉み効果が出る。
洗髪時に使用でマッサージ忘れがなく、価格も電動ものより遙かに安い。
【発明を実施するための最良の形態】
【００１１】
タオル地は泡が起きやすい立体編みもので、ゴム状突起大小を図面２の中から選び、コストを考えて、ランダムに配置する。
頭部の経絡のツボ上に大きな突起を配置し、又、突起配置楕円の中心が百会になるようにして、頭のツボを押しやすくする。
泡立ちを多くして、洗髪すれば、当たるので目安である。
図面２のゴム状突起４種をランダムに図１のドット上に配置するのが、良い。
【図面の簡単な説明】
【００１２】
【図１】は本案件の全体図を説明した図である。
【図２】は図１のゴム状突起の形状例である。
【符号の説明】
【００１３】
１    布状タオル
２    ゴム状突起大
３    ゴム状突起小
ａ  は半球形状突起
ｂ  はピラミッド形状
ｃ  は二段半球突起
ｄ  はカルデラ型突起
【図１】
2009005726.tif 000003
【図２】
2009005726.tif 000004
(57)【要約】【課題】直流交流変換器または交流交流変換器が、別個に専用充電器を用いることなく、蓄電池に対して適切な電流値となるように電流制限をかけながら蓄電池へ充電が出来る方法を提供することにある。【解決手段】直流電源または交流電源から蓄電池への充電動作を直流交流変換器または交流交流変換器の負荷回路を、接点を用いて切り換えることで、直流交流変換器または交流交流変換器が装置独自で電流制限をかけながら蓄電池へ充電を行う。このため従来使用されていた蓄電池充電用の充電器を排除することが出来る。【選択図】図１
2009005479.tif 000002
【特許請求の範囲】
【請求項１】
直流電源を入力として、三相交流を発生させるインバータ回路の出力に、第一の開閉器を介して交流負荷に電力を供給する出力と、第二の開閉器を介して整流回路を通して蓄電池及び直流負荷に電力を供給する出力とを並列に給電するシステムにおいて、該蓄電池の充電が不充分な場合には、前記第一の開閉器を開放した状態で、前記インバータ回路の出力電圧を制御することにより前記蓄電池の充電電流を抑制し、かつ、前記蓄電池の充電完了後には前記第一の開閉器を投入して上記交流負荷に電力を供給することにより、前記蓄電池のための専用充電器を具備しないようにしたことを特徴とする鉄道車両用電源装置。
【請求項２】
交流電源を入力とし整流回路を介して得た直流電力を入力として、三相交流を発生させるインバータ回路の出力に、第一の開閉器を介して交流負荷に電力を供給する出力と、第二の開閉器を介して整流回路を通して蓄電池及び直流負荷に電力を供給する出力とを並列に給電するシステムにおいて、該蓄電池の充電が不充分な場合には、前記第一の開閉器を開放した状態で、前記インバータ回路の出力電圧を制御することにより前記蓄電池の充電電流を抑制し、かつ、前記蓄電池の充電完了後には前記第一の開閉器を投入して上記交流負荷に電力を供給することにより前記蓄電池のための専用充電器を具備しないようにしたことを特徴とする鉄道車両用電源装置。
【発明の詳細な説明】
【技術分野】
【０００１】
本発明は鉄道車両用の搭載機器に関係し、車載の蓄電池へ充電を行う機能を有する電源装置に関する。
【背景技術】
【０００２】
以下、従来の電源装置について図２の回路図を参照しながら説明する。１は直流電源または交流電源、直流電源のときは直流交流変換器、交流電源のときは交流交流変換器とすることから２は直流交流変換器または交流交流変換器、３、５は三相開閉器、４は交流負荷、６は整流器、７はスイッチ、８は蓄電池、９は直流負荷である。
図２において充電動作はスイッチ７を開放し蓄電池８の両極に専用の充電器を接続し充電を行っている。
【０００３】
充電動作をしているとき、三相開閉器３は開放状態にあり直流交流変換器または交流交流変換器２は動作せず、交流負荷４と直流負荷９への電力供給は行われない。
【特許文献１】特開２００６―６９５１０公報
【発明の開示】
【発明が解決しようとする課題】
【０００４】
図２において、専用の充電器を用いることなく蓄電池８を充電することを考える。専用の充電器が無い状態で充電動作を行わせた場合は、三相開閉器３とスイッチ７を閉じて交流負荷４へ電力供給を行いながら整流器６を経由して、直流負荷９へ電力供給を行うと同時に蓄電池８へ充電を行うことになる。
【０００５】
蓄電池８の電荷蓄積量が非常に少ない場合、蓄電池８の電極両端に直流電圧が加圧された時に過大な電流が流れ、直流交流変換器または交流交流変換器２は過電流による保護停止により電力供給を停止し、交流負荷４と直流負荷９へ電力供給が停止し、よって充電動作も停止してしまう。
【課題を解決するための手段】
【０００６】
そこで、専用の充電器を用いることなく、その目的を達成するための手段は、請求項１の発明によれば、直流電源を入力として、三相交流を発生させるインバータ回路の出力に、第一の開閉器を介して交流負荷に電力を供給する出力と、第二の開閉器を介して整流回路を通して蓄電池及び直流負荷に電力を供給する出力とを並列に給電するシステムにおいて、該蓄電池の充電が不充分な場合には、前記第一の開閉器を開放した状態で、前記インバータ回路の出力電圧を制御することにより前記蓄電池の充電電流を抑制し、かつ、前記蓄電池の充電完了後には前記第一の開閉器を投入して上記交流負荷に電力を供給することにより、前記蓄電池のための専用の充電器を具備しないようにしたことを特徴とする。
【０００７】
すなわち、直流電源が直流交流変換器に接続された電力源、当該電力源に三相開閉器を通して交流負荷に接続された回路と、当該電力源に三相開閉器を通して整流器に蓄電池が接続されかつ並列に直流負荷が接続される回路からなり、整流器から直接充電を行うことが出来ることを特徴とする。
【０００８】
請求項2の発明によれば、交流電源を入力とし整流回路を介して得た直流電力を入力として、三相交流を発生させるインバータ回路の出力に、第一の開閉器を介して交流負荷に電力を供給する出力と、第二の開閉器を介して整流回路を通して蓄電池及び直流負荷に電力を供給する出力とを並列に給電するシステムにおいて、該蓄電池の充電が不充分な場合には、前記第一の開閉器を開放した状態で、前記インバータ回路の出力電圧を制御することにより前記蓄電池の充電電流を抑制し、かつ、前記蓄電池の充電完了後には前記第一の開閉器を投入して上記交流負荷に電力を供給することにより前記蓄電池のための専用の充電器を具備しないようにしたことを特徴とする。
【０００９】
すなわち、交流電源が交流交流変換器に接続された電力源、当該電力源に三相開閉器を通して交流負荷に接続された回路と、当該電力源に三相開閉器を通して整流器に蓄電池が接続されかつ並列に直流負荷が接続される回路からなり、整流器から直接充電を行うことが出来ることを特徴とする。
【発明の効果】
【００１０】
以上説明したように本発明によれば、専用の充電器を用いることなく充電動作を行うことが出来、きわめて有用性の高いものである。
【発明を実施するための最良の形態】
【００１１】
図１は本発明の一実施例を示す回路図である。以下図1を参照しながら説明する。充電動作は直流電源または交流電源１を電源として直流交流変換器または交流交流変換器２の交流電力が三相開閉器５を閉じ整流器６で直流化し蓄電池８に充電される。このとき三相開閉器３は開放され交流負荷４への電力供給は行わない。充電動作は過電流による保護動作が発生しないように直流交流変換器または交流交流変換器２が蓄電池８に適切な電流を供給できるよう或る電流以上は流さないように電流制限を行い電力供給する。
【００１２】
蓄電池８の充電が完了すると三相開閉器３を閉じて交流負荷４へ電力供給される。
【図面の簡単な説明】
【００１３】
【図１】本発明の一実施例を示す構成図である。
【図２】従来の一例を示す構成図である。
【符号の説明】
【００１４】
１  直流電源または交流電源
２  直流交流変換器または交流交流変換器
３  三相開閉器
４  交流負荷
５  三相開閉器
６  整流器
７  スイッチ
８  蓄電池
９  直流負荷
【図１】
2009005479.tif 000003
【図２】
2009005479.tif 000004
(57)【要約】【課題】  炭焼きバーベキューコンロ自体が使い捨て同然の廉価品が多く、市場では付属品である炭熾し器の類はほとんど見当たらない。  炭を移動することなく、１台で各メーカーの各機種に対応でき、簡単に炭を熾せる廉価な簡易炭熾し器を提供する。【解決手段】  多孔質の鋼板を以って、四側面を有する枠状に形成した本体ケースの下部を切り欠いて複数の足部を形設すると共に複数の空気取入れ口を設け、前記本体ケースの左右の上端の内側に取手をそれぞれ軸支した。【選択図】図１
2009109174.tif 000002
【特許請求の範囲】
【請求項１】
多孔質の鋼板を以って、四側面を有する枠状に形成した本体ケース（１）の下部を切り欠いて複数の足部（２）、（２）を形設すると共に複数の空気取入れ口（３）、（３）を設け、前記本体ケース（１）の左右の上端の内側に取手（４）、（４）軸支したことを特徴とする簡易炭熾し器。
【請求項２】
前記簡易炭熾し器において、前記本体ケース（１）の内部へ格子状の底板（５）、（５）を左右対称の略Ｌ字型に設け、前記空気取入れ口（３）、（３）の上部を蔽うように中央部から開閉可能に前記底板（５）、（５）を、前記本体ケース（１）の左右の内側に軸支した、請求項１記載の簡易炭熾し器。
【発明の詳細な説明】
【技術分野】
【０００１】  本発明は、炭使用のバーベキューコンロにおいて、コンロ上で簡単に炭を熾せる簡易炭熾し器に関するものである。
【背景技術】
【０００２】  従来、野外で行われるバーベキューでは炭を熾すのに団扇で扇いだり、ガストーチやバーナー等を使用して強制的に火力を加えたりしていた。  また、市販されている炭熾し器には七輪タイプの、小さな鋼製バケツ形状の商品が見られるくらいである。
【発明の開示】
【発明が解決しようとする課題】
【０００３】  バーベキューコンロにはタイプによって炭を乗せる火床板があるものと無いものがあるが、火床板が無いタイプはコンロの底に炭を直置きにするので、空気取入れ口が炭より上方に位置するために効率よく炭が熾きないという問題があった。
火床板の有無に係らず、効率よく炭を熾すには燃焼用空気が抜け易いように、焚付けと炭とを空隙を設けて立体的に積み上げる必要があるが、実際にはコンロの平面上で行うのは難しく、それをカバーするために団扇で扇いで風を送ったり、ガストーチやバーナー等の燃焼用補助器具を使用して強制的に火力を加えたりしていた。
また、市販されている希少品の炭熾し器を利用した場合にも、種火を熾してからコンロに移し変えたりするので時間もかかり、火傷事故の危険性もあった。
本発明は以上の問題を解決する、単純構造の廉価でコンロの機種を問わずに、コンロ上で簡単に炭を熾せる簡易炭熾し器を提供しようとするものである。
【課題を解決するための手段】
【０００４】  多孔質の鋼板を以って、四側面を有する枠状に形成した本体ケース（１）の下部を切り欠いて複数の足部（２）、（２）を形設すると共に複数の空気取入れ口（３）、（３）を設け、前記本体ケース（１）の左右の上端の内側に取手（４）、（４）を軸支したことを特徴とする簡易炭熾し器。【０００５】  また、前記簡易炭熾し器において、前記本体ケース（１）の内部へ格子状の底板（５）、（５）を左右対称の略Ｌ字型に設け、前記空気取入れ口（３）、（３）の上部を蔽うように中央部から開閉可能に前記底板（５）、（５）を、前記本体ケース（１）の左右の内側に軸支した、請求項１記載の簡易炭熾し器。
【発明の効果】
【０００６】  本発明は上記のとおり構成されているので、次に記載する効果を奏する。
１，本体ケースが四側面の枠状なので、枠面を利用して中に焚付けと炭を立体的に積み上げる事ができる。
２，本体ケース下部の複数の空気取入れ口からの燃焼用空気と、本体ケース全面の多数の孔からの吸引する上昇空気とで効率よく炭を熾せる。
３，バーベキューコンロのメーカー、タイプ、機種を問わず１台で兼用できる。
４，コンロ本体内で炭を熾し、炭熾し器を取り除くだけの簡単な操作で完了する。
５，燃焼気流を最大限に活用するので、団扇で扇いだり、ガストーチやバーナー等の燃焼用補助器具を使用しなくてよい。
６，本発明は、単純な構造なので廉価にできる。
【発明を実施するための最良の形態】
【０００７】  本発明を実施するための最良の形態について、図面を参照に説明する。
図１は、簡易炭熾し器の斜視図である。
多孔質の鋼板を以って、四側面を有する枠状に形成した本体ケース（１）の下部を切り欠いて複数の足部（２）、（２）を形設すると共に、複数の空気取入れ口（３）、（３）を設ける。  本体ケース（１）の左右の上端のそれぞれ内側から丸棒の取手（４）、（４）を軸支する。  本体ケース（１）の内部に取手（４）、（４）が収納できる構造とする。【０００８】  本発明は、火床板やコンロ底に炭熾し器を置いて、本体ケースの枠面を利用して中に焚付けと炭を立体的に積み上げて火をつけ、下部の空気取入れ口からの燃焼用空気と本体ケース全面の多数の孔からの吸引上昇空気とで効率よく炭を熾す。
炭が熾きたら炭熾し器を取り除くだけで熾き炭はコンロ内に残るので、過熱された炭を移設する必要が無い。また、団扇で扇いだり、燃焼用補助器具を使用しなくてよい。【０００９】図２の実施例は、本体ケース（１）内部に中央部から開閉できる底板（５）、（５）を設けたもので、空気取入れ口（３）、（３）を大きく開口しても炭が崩れ出ない構造から、火床板が無くコンロの底に直に炭を置くタイプに有効である。  使用時には格子状の底板（５）、（５）を水平にして焚付けと炭を置いて火をつけ、炭が熾きた後は本体ケース（１）を持ち上げると底板（５）、（５）が下方に開いて熾き炭は火床板、又はコンロ内に残る。
【産業上の利用可能性】
【００１０】  炭焼きバーベキューコンロ自体が使い捨て同然の廉価品が多く、付属品である炭熾し器は採算性が見込めないためか、市場では炭熾し器の類はほとんど見当たらない。
実際には燃焼用補助器具を用いたり、他で炭を熾して移し変える等、時間も掛かって苦労している。また、移動の際の火傷事故の危険性もあった。
正に、難しいニッチ商品ではあるが、商品化のポイントは如何に簡単構造で廉価にできるか、また１台で各メーカーの各機種に対応できるかであり、これらの問題を解決した簡易炭熾し器である。
【図面の簡単な説明】
【００１１】
【図１】  請求項１における本発明の斜視図である。
【図２】  請求項２における本発明の正面断面図である。
【符号の説明】
【００１３】    １，本体ケース
２，足部
３，空気取入れ口
４，取手
５，底板
【図１】
2009109174.tif 000003
【図２】
2009109174.tif 000004
(57)【要約】【課題】  微小電流を精度良く検出できる電流検出回路を提供する。【解決手段】  電流検出回路は、コイル1に直列に接続されたシャント抵抗2の両端電圧値を検出することにより、コイル１に流れる電流値を検出するものである。コイル1にバイパス抵抗6が並列に接続され、コイル1に流れる最大電流値とシャント抵抗2の抵抗値の積が０．５〜８である。【選択図】  図１
2009109254.tif 000002
【特許請求の範囲】
【請求項１】
コイルに直列に接続されたシャント抵抗の両端電圧値を検出することにより、コイルに流れる電流値を検出する電流検出回路において、
コイルにバイパス抵抗が並列に接続され、コイルに流れる最大電流値とシャント抵抗の抵抗値の積が０．５〜８であることを特徴とする電流検出回路。
【発明の詳細な説明】
【技術分野】
【０００１】
この発明は、コイルに直列に接続されたシャント抵抗の両端電圧値を検出することにより、コイルに流れる電流値を検出する電流検出回路に関する。
【背景技術】
【０００２】
電動機や電磁石などのコイル電流を制御するためにコイル電流を検出する場合、たとえば特許文献１または特許文献２に記載されているように、コイルに直列に接続されたシャント抵抗の両端電圧値を検出する電流検出回路が用いられる。
【０００３】
図２はこのような従来の電流検出回路の構成の１例を示している。
【０００４】
この電流検出回路は、一方の端子がコイル(1)に接続されて他方の端子が接地されたシャント抵抗(2)と、非反転入力端子が接地されたオペアンプ(3)とを備えており、シャント抵抗(2)のコイル側端子が抵抗(4)を介してオペアンプ(3)の反転入力端子に接続され、オペアンプ(3)の反転入力端子と出力端子の間に負帰還抵抗(5)が接続されている。そして、シャント抵抗(2)の両端電圧Ｖiが抵抗(4)を通じてオペアンプ(3)の反転入力端子に印加され、オペアンプ(3)の出力端子から出力される出力電圧Ｖoが検出電流値となる。
【特許文献１】特許第２５１７７８２号公報
【特許文献２】特許第３２１３３８５号公報
【発明の開示】
【発明が解決しようとする課題】
【０００５】
上記の電流検出回路では、実際のコイル電流値に対応するシャント抵抗(2)の両端電圧Ｖiとオペアンプ(3)の出力電圧Ｖoである検出電流値との間にほぼ直線性があるが、微小電流範囲では直線性が悪くなるという問題がある。
【０００６】
磁気軸受を構成する電磁石のコイル電流（励磁電流）は、通常、定常電流に制御電流を加えたものであるが、定常電流を０にするいわゆるゼロバイアス非線形制御を行う場合、コイルに流れる０近傍の微小電流を精度良く検出する必要がある。
【０００７】
ところが、上記の従来の電流検出回路では、微小電流範囲で直線性が悪いので、微小電流を精度良く検出することができない。
【０００８】
この発明の目的は、上記の問題を解決し、微小電流を精度良く検出できる電流検出回路を提供することにある。
【課題を解決するための手段】
【０００９】
この発明による電流検出回路は、コイルに直列に接続されたシャント抵抗の両端電圧値を検出することにより、コイルに流れる電流値を検出する電流検出回路において、コイルにバイパス抵抗が並列に接続され、コイルに流れる最大電流値とシャント抵抗の抵抗値の積が０．５〜８であることを特徴とするものである。
【００１０】
この明細書において、「シャント抵抗の両端電圧値の検出」には、両端電圧値そのものを直接検出する場合だけでなく、両端電圧値に関連する電圧値を検出することにより両端電圧値を間接的に検出する場合も含まれる。
【００１１】
たとえば、非反転入力端子が接地されたオペアンプの反転入力端子に、シャント抵抗のコイル側端子が抵抗を介して接続され、オペアンプの反転入力端子と出力端子の間に負帰還抵抗が接続される。
【００１２】
コイルに流れる最大電流値とシャント抵抗の抵抗値の積を０．５〜８として、シャント抵抗の抵抗値を従来より大きくすることにより、微小電流範囲での直線性が良くなり、微小電流を精度良く検出することが可能になる。また、コイルにバイパス抵抗を並列に接続することにより、高周波領域での安定性が向上する。
【００１３】
バイパス抵抗の抵抗値は、好ましくは、コイルの抵抗値の１００倍程度である。
【００１４】
コイルに流れる最大電流値（Ａ）とシャント抵抗の抵抗値（Ω）の積が０．５より小さいと、微小電流範囲での直線性が悪い。上記積が８より大きいと、抵抗損失が大きい。
【発明の効果】
【００１５】
この発明の電流検出回路によれば、上記のように、微小電流を精度良く検出することができ、かつ、高周波域での安定性が向上する。
【発明を実施するための最良の形態】
【００１６】
以下、図１を参照して、この発明の実施形態について説明する。
【００１７】
図１は図２に相当する図面であり、図２のものと対応する部分には同一の符号を付している。
【００１８】
コイル(1)に、バイパス抵抗(6)が並列に接続されている。バイパス抵抗(6)の抵抗値は、コイル(1)の抵抗値の１００倍程度である。シャント抵抗(2)の抵抗値は図２の場合のそれより大きく、コイル(1)に流れる最大電流値（Ａ）とシャント抵抗(2)の抵抗値（Ω）の積が０．５〜８となっている。
【００１９】
他は、図２の場合と同様である。
【００２０】
コイル(1)に流れる最大電流値とシャント抵抗(2)の抵抗値の積が０．５〜８で、シャント抵抗(2)の抵抗値が従来より大きいことにより、微小電流範囲での直線性が良くなり、微小電流を精度良く検出することが可能になる。また、コイル(1)にバイパス抵抗(6)が並列に接続されていることにより、高周波領域での安定性が向上する。
【００２１】
たとえば、コイル(1)に流れる最大電流値が１０Ａの場合、シャント抵抗(2)の抵抗値を０．０３Ωとして、両者の積を０．３とすると、電流値が１Ａ以下では直線性が悪く、１Ａ以下の検出が不可能であった。これに対し、シャント抵抗(2)の抵抗値を０．０６Ωとして、両者の積を０．６とすると、電流値が０．５Ａ以上で直線性が良く、０．５Ａ以上の検出が可能であった。
【図面の簡単な説明】
【００２２】
【図１】図１は、この発明の実施形態を示す電流検出回路のブロック図である。
【図２】図２は、従来例を示す電流検出回路のブロック図である。
【符号の説明】
【００２３】
(1)     コイル
(2)     シャント抵抗
(6)     バイパス抵抗
【図１】
2009109254.tif 000003
【図２】
2009109254.tif 000004
(57)【要約】【課題】人間の握力の長時間の維持の補助を図る上で有利な握力補助具を提供する。【解決手段】手首に着脱可能に取り付けるバンドと、このバンドに取り付けた鉤形部材とよりなり、前記鉤形部材は、軸部とその横方向へ伸びる折り曲げ部とよりなり、前記バンドを手首に取り付けたとき、軸部は手の平にそって指先側へ伸び、折り曲げ部は折り曲げた指にそって内側に突出するように形成されていることを特徴とする握力補助具。【選択図】図２
2009109959.tif 000002
【特許請求の範囲】
【請求項１】
手首に着脱可能に取り付けるバンドと、このバンドに取り付けた鉤形部材とよりなり、前記鉤形部材は、軸部とその横方向へ伸びる折り曲げ部とよりなり、前記バンドを手首に取り付けたとき、軸部は手の平にそって指先側へ伸び、折り曲げ部は折り曲げた指にそって内側に突出するように形成されていることを特徴とする握力補助具。
【発明の詳細な説明】
【発明の詳細な説明】
【技術分野】
【０００１】本発明は、握力補助具に関する。
【背景技術】
【０００２】カメラなどを下から保持する際、人間の握力の長時間の持続には限界がある。そこで人間の握力を長時間持続させる必要がある。このような理由から、撮像装置のホールド性の安定化を図る撮像装置用補助具が提案されている。この装置は撮像装置のホールド性を図るものである。［特許文献１  参照］【０００３】
【特許文献１】  特開２００７−２４９００４
【発明の開示】
【発明が解決しようとする課題】
【０００４】しかしながら、上述した撮像装置用補助具では、撮像装置のホールド性の安定化を図るのみであるため、重い荷物などを持ち上げてその状態を長時間持続するには、構造的に無理がある。従来の補助具の場合、Ｌ字形の支持板の取り付け板部の上（上腕部側）に荷物を乗せて持ったとき、指先を折り曲げて取り付け板部を下（指先側）から支持する構造になっていないからである。つまり、荷物の荷重を支持板を介して二の腕で支持する構造になっていて、支持板は握力の補助具として機能していないからである。
【課題を解決するための手段】
【０００５】上述の目的を達成するため、本発明が提供する握力補助具は、手首に着脱可能に取り付けるバンドと、このバンドに取り付けた鉤形部材とよりなり、前記鉤形部材は、軸部とその横方向へ伸びる折り曲げ部とよりなり、前記バンドを手首に取り付けたとき、軸部は手の平にそって指先側へ伸び、折り曲げ部は折り曲げた指にそって内側に突出するように形成されていることを特徴とするものである。
【発明の効果】
【０００６】本発明によれば、手首にバンドを取り付けると、折り曲げ部で荷物を持つことができるようになるので、握力を効果的に補助することが出来る。
【発明を実施するための最良の形態】
【０００７】次に、本発明の実施の形態を実施例によって図面を参照しながら説明する。
図１は、実施例の握力補助具の構成を示す斜視図、
図２、図３は、握力補助具を手首に取り付けた状態を示す説明図である。【０００８】まず、握力補助具について説明する。
図１に示すように、握力補助具は、手首に巻きつけて取り付けるバンド１と、このバンド１に取り付けた鉤形部材２とより構成されている。
鉤形部材２は、軸部２ａと折り曲げ部２ｂとを有している。
このバンド１は、雄雌接着布１ａ、１ｂで留める構成になっており、鉤形部材２は、その軸部２ａの端部２ｃにおいてバンド１に固着されている。
軸部２ａと折り曲げ部２ｂは、硬質合成樹脂で一体形成されている。
図３は、握力補助具の他の実施例の使用状態を示す。この実施例は、図２における断面湾曲形の折り曲げ部２ｂを断面平板形２ｄにした例である。その他の構成は図２と同じである。【０００９】次に、握力補助具の使用方法について説明する。
図２に示すように、折り曲げ部２ｂを折り曲げた指にそって当接させ、軸部２ａを手の平にそって当接させてベルトを手首に取り付ける。
この状態で、折り曲げた指は、荷物の重量を折り曲げ部２ｂを介して受けることが出来る。【００１０】このため、特に重い荷物を持つ際、人間の握力の補助が可能となる。
【図面の簡単な説明】
【００１１】
【図１】実施例の握力補助具の構成を示す斜視図である。
【図２】実施例の握力補助具を手首に取り付けた状態を示す説明図。
【図３】実施例の握力補助具を手首に取り付けた状態を示す説明図。
【符号の説明】
【００１２】１・・・・バンド
２・・・・鉤形部材
２ａ・・・軸部
２ｂ・・・折り曲げ部
【図１】
2009109959.tif 000003
【図２】
2009109959.tif 000004
【図３】
2009109959.tif 000005
(57)【要約】【課題】特殊な形状の部材を用いることなく、取り付け強度を高めることができるスタッド及びその取り付け方法を提供する。【解決手段】接着剤が封入された少なくとも一つの接着剤カプセル２がタップ部に装填された。【選択図】図１
2009204010.tif 000002
【特許請求の範囲】
【請求項１】
接着剤が封入された少なくとも一つのカプセルがタップ部に装填されたことを特徴とするスタッド。
【請求項２】
混合によって接着性を発現する２種以上の接着剤が、それぞれ個別の前記カプセルに封入され、前記タップ部に装填されたことを特徴とする請求項１記載のスタッド。
【請求項３】
前記カプセルは、前記タップ部の径と略同一径であることを特徴とする請求項１又は２記載のスタッド。
【請求項４】
接着剤を封入したカプセルを少なくとも一つスタッドのタップ部に装填し、該スタッドにねじをねじ込むことにより前記カプセルを破壊して、前記スタッドと前記ねじとの間隙に前記接着剤を配置することを特徴とするスタッド取り付け方法。
【請求項５】
混合によって接着性を発現する２種以上の接着剤を、それぞれ個別の前記カプセルに封入し、前記タップ部に装填することを特徴とする請求項４記載のスタッド取り付け方法。
【請求項６】
前記タップ部の径と略同一径の前記カプセルを、該タップ部に装填することを特徴とする請求項４又は５記載のスタッド取り付け方法。
【発明の詳細な説明】
【技術分野】
【０００１】
本発明は、スタッドを被固定物にねじ止めする際の固定強度を高める方法に関する。
【背景技術】
【０００２】
スタッドを被固定物にねじ止めする際、固定強度を高めるためにねじ止め部分に接着剤を用いる手法がある。
【０００３】
スタッドと被固定物とを接着固定する際には、以下のような問題があった。
（１）ねじに接着剤を塗布する工程が必要となり、非効率的である。
（２）使用する接着剤の種類を間違えてしまう可能性がある。
（３）接着剤を塗布したねじを落とすと他の部品に接着剤が付着してしまう。
（４）ネック加工したねじはねじ締めの際に硬く作業性が芳しくない。
（５）接着剤の塗布量が安定しない。
【０００４】
ねじ止め強度を高めることに関連する技術として、特許文献１に開示される「ボルト」がある。
【特許文献１】特開昭６１−１３６０１２号公報
【発明の開示】
【発明が解決しようとする課題】
【０００５】
しかし、特許文献１に開示される発明は、特殊な形状のねじを必要とするため、ねじの製造コストが高く、ひいてはこの構造を採用した製品全体の製造コストも上昇してしまう。
【０００６】
本発明は係る問題に鑑みてなされたものであり、特殊な形状の部材を用いることなく、取り付け強度を高めることができるスタッド及びその取り付け方法を提供することを目的とする。
【課題を解決するための手段】
【０００７】
上記目的を達成するため、本発明は、第１の態様として、接着剤が封入された少なくとも一つのカプセルがタップ部に装填されたことを特徴とするスタッドを提供するものである。
【０００８】
また、上記目的を達成するため、本発明は、第２の態様として、接着剤を封入したカプセルを少なくとも一つスタッドのタップ部に装填し、該スタッドにねじをねじ込むことにより前記カプセルを破壊して、前記スタッドと前記ねじとの間隙に前記接着剤を配置することを特徴とするスタッド取り付け方法を提供するものである。
【発明の効果】
【０００９】
本発明によれば、特殊な形状の部材を用いることなく、取り付け強度を高めることができるスタッド及びその取り付け方法を提供できる。
【発明を実施するための最良の形態】
【００１０】
〔第１の実施形態〕
本発明を好適に実施した第１の実施形態について説明する。
ねじ３は、規格に沿った一般的な形状であり、特定の形状に限定されない。
図１（ａ）に示すように、スタッド１内に接着剤カプセル２を装填する。接着剤カプセル２は、タップ部分と略同一径とすることにより、ねじ穴が下向きとなるような状態にスタッド１を保持しても、ねじ穴から脱落しにくくなる。
【００１１】
その後、図１（ｂ）に示すように、接着剤カプセル２を装填したスタッド１を被固定物４を挟んでねじ３と対峙させる。
【００１２】
そして、図１（ｃ）に示すように、ドライバー５を用いてねじ３をスタッド１にねじ込んでいく。
【００１３】
図１（ｄ）に示すように、ねじ３が所定の深さまでねじ込まれると、ねじ３の先端が接着剤カプセル２と接触する。この状態からさらにねじ３をねじ込むと、接着剤カプセル２が圧力によって破壊され、カプセル内に封入されていた接着剤がスタッド１内に流れ出る。
【００１４】
図１（ｅ）に示すように、さらにねじ３をねじ込むと、スタッド１とねじ３との間隙に接着剤が隙間無く充填される。
【００１５】
この状態で接着剤を乾燥させることにより、スタッド１とねじ３との固定強度を高めることができる。
【００１６】
このように、本実施形態に係るスタッド取り付け方法は、
（１）ねじに接着剤を塗布する工程が不要であるため、取り付け作業を効率的に行える。
（２）使用する接着剤の種類を間違えてしまう可能性がない。
（３）組み立ての際にねじを落としても他の部品に接着剤が付着してしまうことがない。
（４）特殊な形状のねじを用いる必要がない。
（５）接着剤の塗布量が一定となり、品質が安定する。
という効果が得られる。
【００１７】
〔第２の実施形態〕
本発明を好適に実施した第２の実施形態について説明する。
図２に示すように、本実施形態においては、二つの接着剤カプセル２ａ、２ｂをスタッド１内に装填する。
【００１８】
スタッド１内に装填される二つの接着剤カプセル２ａ、２ｂには、混合することによって接着性を発現する２液混合型の接着剤の２種類の液がそれぞれ封入されている。
【００１９】
第１の実施形態と同様に、ねじ３をスタッド１にねじ込んでいくことにより、接着剤カプセル２ａ、２ｂが順次破壊され、スタッド１内で２液が混合される。
【００２０】
ねじ止めの際にスタッド１内で２液を混合させるため、混合後の硬化速度の速い接着剤を用いることが可能となる。
【００２１】
この他の点については上記第１の実施形態と同様であるため、重複する説明は省略する。
【００２２】
なお、上記各実施形態は本発明の好適な実施の一例であり、本発明はこれに限定されることなく様々な変形が可能である。
【図面の簡単な説明】
【００２３】
【図１】本発明を好適に実施した第１の実施形態に係るスタッド取り付け方法を示す図である。
【図２】本発明を好適に実施した第２の実施形態に係るスタッド取り付け方法を示す図である。
【符号の説明】
【００２４】
１    スタッド
２、２ａ、２ｂ    接着剤カプセル
３    ねじ
４    被固定物
５    ドライバー
【図１】
2009204010.tif 000003
【図２】
2009204010.tif 000004